(57)【要約】【課題】      液晶ディスプレイの駆動回路及び駆動方法を提供する。【解決手段】  複数行及び複数列で形成される複数の画素のアレイを提供する工程と、フレーム周期の第一半周期中、順に、複数画素の奇数行をスキャンする工程と、前記フレーム周期の第二半周期中、順に、複数画素の偶数行をスキャンする工程と、からなる液晶ディスプレイ装置の駆動方法であり、例えば、前記第一半周期中、第一極性の信号を、複数画素の前記奇数行へ順に提供するとともに、前記第二半周期中、第二極性の信号を、複数画素の前記偶数行へ順に提供するものである。【選択図】図３
2005196135.tif 000002
【特許請求の範囲】
【請求項１】
複数行及び複数列で形成される複数の画素のアレイを提供する工程と、
フレーム周期の第一半周期中、順に、複数画素の奇数行をスキャンする工程と、
前記フレーム周期の第二半周期中、順に、複数画素の偶数行をスキャンする工程と、
からなることを特徴とする液晶ディスプレイ装置の駆動方法。
【請求項２】
前記第一半周期中、第一極性の信号を、複数画素の前記奇数行へ順に提供するとともに、前記第二半周期中、第二極性の信号を、複数画素の前記偶数行へ順に提供することを、さらに含む請求項１に記載の液晶ディスプレイ装置の駆動方法。
【請求項３】
前記第一半周期中、第一極性の信号を、奇数列中の複数画素の前記奇数行に順に提供し、且つ、第二極性の信号を、偶数行中の複数画素の前記奇数行に順に提供することをさらに含む請求項１に記載の液晶ディスプレイ装置の駆動方法。
【請求項４】
前記第二半周期中、第一極性の信号を、偶数列中の複数画素の前記偶数行に順に提供し、且つ、第二極性の信号を、奇数行中の複数画素の前記偶数行に順に提供することをさらに含む請求項１に記載の液晶ディスプレイ装置の駆動方法。
【請求項５】
第一半周期を駆動するために第一信号を供給し、第二半周期を駆動するために第二信号を供給することをさらに含む請求項１に記載の液晶ディスプレイ装置の駆動方法。
【請求項６】
複数の第一パルス、及び、複数の第二パルスを有する信号を生成する工程を含み、前記各第二パルスは、前記第一パルスの一つに対応して後に続くことをさらに含む請求項１に記載の液晶ディスプレイ装置の駆動方法。
【請求項７】
前記第一半周期中、対応する前記第一パルスの一つに従って、複数画素の前記奇数行のスキャンを連続して駆動することをさらに含む請求項６に記載の液晶ディスプレイ装置の駆動方法。
【請求項８】
前記第二半周期中、対応する前記第一パルスの一つに従って、複数画素の前記偶数行のスキャンを連続して駆動することをさらに含む請求項６に記載の液晶ディスプレイ装置の駆動方法。
【請求項９】
前記第一半周期中、対応する前記第二パルスの一つに従って、複数画素の前記偶数行のスキャンを連続して駆動させないことをさらに含む請求項６に記載の液晶ディスプレイ装置の駆動方法。
【請求項１０】
前記第二半周期中、対応する前記第二パルスの一つに従って、複数画素の前記奇数行のスキャンを連続して駆動させないことをさらに含む請求項６に記載の液晶ディスプレイ装置の駆動方法。
【請求項１１】
液晶ディスプレイ装置の駆動方法であって、
複数行及び複数列で形成される複数画素のアレイを提供する工程と、
フレーム周期の第一半周期を駆動するための第一信号を提供する工程と、
複数の第一パルス、及び、複数の第二パルスを提供し、前記各第二パルスは、対応する前記第一パルスの一つに対応して後に続く行程と、
前記第一半周期中、対応する前記第一パルスの一つに従って、複数画素の前記奇数行を連続して駆動させる工程と、
前記第一半周期中、対応する前記第二パルスの一つに従って、複数画素の前記偶数行を連続して駆動させない工程と、
前記フレーム周期の第二半周期を駆動するための第二信号を提供する工程と、
前記第二半周期中、対応する前記第一パルスの一つに従って、複数画素の前記偶数行を連続して駆動させる工程と、
前記第二半周期中、対応する前記第二パルスの一つに従って、複数画素の前記奇数行を連続して駆動させない工程と、
からなることを特徴とする液晶ディスプレイ装置の駆動方法。
【請求項１２】
前記第一半周期中、第一極性の信号を、複数画素の前記奇数行に順に供給し、且つ、前記第二半周期中、第二極性の信号を、複数画素の前記偶数行に順に供給することをさらに含む請求項１１に記載の液晶ディスプレイ装置の駆動方法。
【請求項１３】
前記第一半周期中、第一極性の信号を、前記奇数列中の複数画素の前記奇数行に順に供給し、且つ、第二極性の信号を、前記偶数列中の複数画素の前記奇数列に順に提供することをさらに含む請求項１１に記載の液晶ディスプレイ装置の駆動方法。
【請求項１４】
前記第二半周期中、第一極性の信号を、前記偶数行中の複数画素の前記偶数列に順に提供し、且つ、第二極性の信号を、前記奇数行中の複数画素の前記偶数列に順に提供することをさらに含む請求項１１に記載の液晶ディスプレイ装置の駆動方法。
【請求項１５】
前記第一パルスに対応する第一状態、及び、前記第二パルスに対応する第二状態を含む信号を供給することをさらに含む請求項１１に記載の液晶ディスプレイ装置の駆動方法。
【請求項１６】
複数行及び複数列で形成される複数の画素のアレイを含む液晶ディスプレイ装置に適用する駆動回路であって、
互いに平行な複数のソースラインを有し、前記各ソースラインは複数画素の列に対応するように接続された、少なくとも一つのソースドライバと、
互いに平行で、且つ、前記ソースラインに直交する複数のゲートラインを有し、前記各ゲートラインが複数画素の行に対応するように接続された、少なくとも一つのゲートドライバと、
フレーム周期の第一半周期中、対応する前記ゲートラインにより、複数画素の前記奇数行のスキャンを連続して駆動するために第一信号を供給し、且つ、前記フレーム周期中の第二半周期中、対応する前記ゲートラインにより、複数画素の前記偶数列のスキャンを連続して駆動するための第二信号を供給する、コントローラーと、
からなることを特徴とする液晶ディスプレイ装置に適用する駆動回路。
【請求項１７】
前記ソースドライバは、前記第一半周期中、第一極性の信号を、複数画素の前記奇数行に順に供給し、且つ、前記第二半周期中、第二極性の信号を、複数画素の前記偶数行に順に提供するものである請求項１６に記載の液晶ディスプレイ装置に適用する駆動回路。
【請求項１８】
前記第一半周期中、前記ソースドライバは、第一極性の信号を、奇数列の複数画素の前記奇数行に連続して供給して、且つ、第二極性の信号を、偶数列中の複数画素の前記奇数行に提供するものである請求項１６に記載の液晶ディスプレイ装置に適用する駆動回路。
【請求項１９】
前記第二半周期中、前記ソースドライバは、第一極性の信号を、偶数列中の複数画素の前記偶数行に連続して供給し、且つ、第二極性の信号を、奇数列中の複数画素の前記偶数行に連続して供給するものである請求項１６に記載の液晶ディスプレイ装置に適用する駆動回路。
【請求項２０】
前記コントローラーは、複数の第一パルス、及び、複数の第二パルスを含む信号を提供し、前記各第二パルスは、前記第一パルスの一つに対応して後に続くようにするものである、請求項１６に記載の液晶ディスプレイ装置に適用する駆動回路。
【請求項２１】
前記第一半周期中、前記第一パルスに従って、複数画素の前記奇数行が順に選択され、且つ、前記第二半周期中、前記第一パルスに従って、複数画素の前記偶数行が選択される請求項２０に記載の液晶ディスプレイ装置に適用する駆動回路。
【請求項２２】
前記第一半周期中、前記第二パルスに従って、複数画素の前記偶数行が連続して駆動されないものである請求項２０に記載の液晶ディスプレイ装置に適用する駆動回路。
【請求項２３】
前記第二半周期中、前記第二パルスに従って、複数画素の前記奇数行が連続して駆動されないものである請求項２０に記載の液晶ディスプレイ装置に適用する駆動回路。
【請求項２４】
前記コントローラーは、前記第一パルスに対応する第一状態、及び、前記第二パルスに対応する第二状態を含む信号をさらに供給するものである請求項１６に記載の液晶ディスプレイ装置に適用する駆動回路。
【発明の詳細な説明】
【技術分野】
【０００１】
本発明は、液晶ディスプレイに関するものであって、特に、液晶ディスプレイ装置に適用する駆動方法及び駆動回路に関する。
【背景技術】
【０００２】
公知技術上、液晶ディスプレイ（LIQUID  CRYSTAL  DISPLAY、以下ＬＣＤと称する）装置は、ライン反転（LINE  INVERSION）、或いは、ドット反転（DOT  INVERSION）により駆動される。ライン反転によりＬＣＤ装置を駆動する状況下で、各フレーム時間において、各ゲート電極のソース信号の極性を反転させる。ドット反転によりＬＣＤ装置を駆動する状況下で、各フレーム時間において、各ゲート電極のソース信号の極性を反転させるだけでなく、各ソース電極のソース信号の極性も反転させる。
【０００３】
図１Ａは、公知のＬＣＤ装置２０の駆動回路１０を示す図である。仮に、ＬＣＤ装置２０がドット反転スキームを使用し、且つ、８×８マトリックスの画素２２を含む。実際は、例えば、ＬＣＤ装置のディスプレイ領域は１２８０×１０２４画素要素を含み、それぞれＬＣＤ装置の水平、及び垂直解像度となる。駆動回路１０は、ゲートドライバ１２、ソースドライバ１４、及び、コントローラー１６からなる。図１Ａからわかるように、典型的な画素２２は、ゲートライン１２−２とソースライン１４−２との交差により形成され、且つ、ソースライン１４−２はほぼゲートライン１２−２と垂直をなしている。画素２２は対応するトランジスタ（図示しない）を結合し、このトランジスタはゲートとソースを有し、それぞれ、対応するゲートライン１２−２及びソースライン１４−２を結合している。この公知の例において、ドット反転は符号“＋”或いは“−”サインにより画素２２の極性を表示し、即ち、この極性は、コモン電極Ｖｃｏｍに対する、画素２２に提供されるソース信号である正極性、或いは、負極性となる。
【０００４】
図１Ｂは、図１Ａ中の駆動回路１０のタイミング図である。コントローラー１６は、スタートパルスＳＰを提供して、フレーム期間を初期化し、且つ、クロック信号ＣＬＫは、スタートパルスＳＰに対応して生成される。画素２２は、クロック信号ＣＬＫの上昇縁に従って、一行を単位としてゲートライン１２−２により駆動される。特に、第一ゲートラインＧ１１、第二ゲートラインＧ１２、及び、第三ゲートラインＧ１３、その他も順に選択される画素２２の一行が駆動される時、ソース信号はソースドライバ１４から、画素２２の一列に提供される。よって、フレーム周期内で、画素２２の一列が順に全て駆動された後、提供するソース信号に対応した画面が表示される。
【０００５】
図１Ｃは、図１Ａ中、駆動回路１０のソースドライバ１４の出力信号を示す図である。ライン反転、及び、ドット反転にとって、ソース信号極性の転換は、各ゲートラインに必要となる。しかしながら、電圧極性の転換周波数は大きな電力を消耗することになる。
【発明の開示】
【発明が解決しようとする課題】
【０００６】
本発明は、上述の問題を解決するため、液晶ディスプレイ装置に適用する駆動方法及びその駆動回路を提供し、公知技術の制限と欠点を排除することを目的とする。
【課題を解決するための手段】
【０００７】
上述の目的を達成するため、本発明は、まず、複数行及び複数列で形成される複数の画素のアレイを提供する工程と、フレーム周期の第一半周期中、順に、複数画素の奇数行をスキャンする工程と、前記フレーム周期の第二半周期中、順に、複数画素の偶数行をスキャンする工程と、からなることを特徴とする液晶ディスプレイ装置の駆動方法とした。本発明の駆動方法では、前記第一半周期中、第一極性の信号を、複数画素の前記奇数行へ順に提供するとともに、前記第二半周期中、第二極性の信号を、複数画素の前記偶数行へ順に提供する、ことをさらに含む。
【０００８】
本発明に係る液晶ディスプレイ装置の駆動方法は、前記第一半周期中、第一極性の信号を、奇数列中の複数画素の前記奇数行に順に提供し、且つ、第二極性の信号を、偶数行中の複数画素の前記奇数行に順に提供することをさらに含み、前記第二半周期中、第一極性の信号を、偶数列中の複数画素の前記偶数行に順に提供し、且つ、第二極性の信号を、奇数行中の複数画素の前記偶数行に順に提供することをさらに含むことができる。
【０００９】
そして、本発明に係る液晶ディスプレイ装置の駆動方法は、第一半周期を駆動するために第一信号を供給し、第二半周期を駆動するために第二信号を供給することをさらに含み、複数の第一パルス、及び、複数の第二パルスを有する信号を生成する工程を含み、前記各第二パルスは、前記第一パルスの一つに対応して後に続くことをさらに含みえる。また、前記第一半周期中、対応する前記第一パルスの一つに従って、複数画素の前記奇数行のスキャンを連続して駆動することをさらに含み、前記第二半周期中、対応する前記第一パルスの一つに従って、複数画素の前記偶数行のスキャンを連続して駆動することをさらに含むことができる。
【００１０】
さらに、本発明に係る液晶ディスプレイ装置の駆動方法は、前記第一半周期中、対応する前記第二パルスの一つに従って、複数画素の前記偶数行のスキャンを連続して駆動させないことをさらに含み、前記第二半周期中、対応する前記第二パルスの一つに従って、複数画素の前記奇数行のスキャンを連続して駆動させないことをさらに含むことができる。
【００１１】
上述の目的を達成するため、本発明は、更に液晶ディスプレイに適用する駆動回路を提供するものであり、具体的には、複数行及び複数列で形成される複数の画素のアレイを含む液晶ディスプレイ装置に適用する駆動回路であって、互いに平行な複数のソースラインを有し、前記各ソースラインは複数画素の列に対応するように接続された、少なくとも一つのソースドライバと、互いに平行で、且つ、前記ソースラインに直交する複数のゲートラインを有し、前記各ゲートラインが複数画素の行に対応するように接続された、少なくとも一つのゲートドライバと、フレーム周期の第一半周期中、対応する前記ゲートラインにより、複数画素の前記奇数行のスキャンを連続して駆動するために第一信号を供給し、且つ、前記フレーム周期中の第二半周期中、対応する前記ゲートラインにより、複数画素の前記偶数列のスキャンを連続して駆動するための第二信号を供給する、コントローラーと、からなるものとした。
【００１２】
前記ソースドライバは、前記第一半周期中、第一極性の信号を、複数画素の前記奇数行に順に供給し、且つ、前記第二半周期中、第二極性の信号を、複数画素の前記偶数行に順に提供することができ、また、前記ソースドライバは、前記第一半周期中、第一極性の信号を、奇数列の複数画素の前記奇数行に連続して供給して、且つ、第二極性の信号を、偶数列中の複数画素の前記奇数行に提供することができる。
【００１３】
また、前記ソースドライバは、前記第二半周期中、第一極性の信号を、偶数列中の複数画素の前記偶数行に連続して供給し、且つ、第二極性の信号を、奇数列中の複数画素の前記偶数行に連続して供給することができ、前記コントローラーは、複数の第一パルス、及び、複数の第二パルスを含む信号を提供し、前記各第二パルスは、前記第一パルスの一つに対応して後に続くようにすることができるものである。
【００１４】
本発明に係る液晶ディスプレイ装置の駆動回路は、前記第一半周期中、前記第一パルスに従って、複数画素の前記奇数行が順に選択され、且つ、前記第二半周期中、前記第一パルスに従って、複数画素の前記偶数行が選択されることができ、また、前記第一半周期中、前記第二パルスに従って、複数画素の前記偶数行が連続して駆動されないものとすることができる。そして、前記第二半周期中、前記第二パルスに従って、複数画素の前記奇数行が連続して駆動されないものとすることができる。
【００１５】
本発明に係る液晶ディスプレイ装置の駆動回路は、前記コントローラーは、前記第一パルスに対応する第一状態、及び、前記第二パルスに対応する第二状態を含む信号をさらに供給することができるものとである。
【発明の効果】
【００１６】
本発明の液晶ディスプレイ装置の駆動方法及び駆動装置によれば、公知である液晶ディスプレイ装置の駆動技術の問題を解決することが可能となる。
【発明を実施するための最良の形態】
【００１７】
図２Ａは、本発明の一実施例による液晶ディスプレイ装置の駆動回路５０を示す図である。駆動回路５０は、Ｎ行（ＲＯＷ）とＭ列（ＣＯＬＵＭＮ）を有するＬＣＤ装置の画素アレイ６０を駆動するのに用いられ、ＭとＮは整数である。駆動回路５０は、少なくとも一つのゲートドライバ５２、少なくとも一つのソースドライバ５４、及び、コントローラー５６からなる。ゲートドライバ５２は、互いに平行な複数のゲートラインＧ１〜ＧＮを有し、且つ、各ゲートラインＧ１〜ＧＮは対応する一行の画素６０に結合されている。ソースドライバ５４は、互いに平行で、且つ、ゲートラインＧ１〜ＧＮと互いに垂直なソースラインＳ１〜ＳＭを有し、各ソースラインＳ１〜ＳＭは対応する一列の画素６０に結合される。フレーム周期Ｆの第一半周期Ｆ１（図２Ｃ参照）において、コントローラー５６は、第一信号ＳＰ１を提供して、対応するゲートラインにより、順に、画素６０中の奇数列の画素のスキャンを起動する。フレーム周期Ｆの第二半周期Ｆ２（図２Ｃ参照）において、コントローラー５６は第二信号ＳＰ２を提供して、対応するゲートラインにより、順に、画素６０中の偶数列の画素のスキャンを起動する。
【００１８】
コントローラー５６も、クロック信号ＹＣＬＫ及びイネーブル信号ＹＯＥを提供し、第一半周期Ｆ１中、奇数列の画素の選択を可能にし、第二半周期Ｆ２中、偶数列の画素の選択を可能にする。図２Ｂは本発明の実施例中の駆動回路５０のタイミング図である。クロック信号ＹＣＬＫは、第一パルス７０と第二パルス８０を含む。各第二パルス８０は、対応する第一パルス７０の後に続く。
【００１９】
イネーブル信号ＹＯＥが第一パルス７０に対応する時、ロジック上の高レベル（論理レベルが高い）で、且つ、第二パルス８０に対応する時、ロジック上の低レベル（論理レベルが低い）である。高レベルのイネーブル信号ＹＯＥは対応するゲートラインの選択を可能にし、且つ、低レベルのイネーブル信号ＹＯＥは対応するゲートラインの選択を可能にする。例を挙げると、第一信号ＳＰ１に従って、起動される第一半周期Ｆ１中、ゲートラインＧ１は、第一パルス７０及び、高レベルのイネーブル信号ＹＯＥに従って選択され、且つ、第二ゲートラインＧ２は、低レベルのイネーブル信号ＹＯＥに従って、選択されない（点線で示される）。第二信号ＳＰ２に従って、起動される第二半周期Ｆ２中、第一ゲートラインＧ１は、低レベルのイネーブル信号ＹＯＥに従って選択されず（点線で示される）、且つ、第二ゲートラインＧ２は、第一パルス７０、及び、高レベルのイネーブル信号ＹＯＥに従って、選択される。
【００２０】
図２Ｃは、本発明の一実施例によるソースドライバ５４の出力信号を示す図である。ライン反転にとって、第一半周期Ｆ１中、ソースドライバ５４は、連続して、第一極性の信号を、積数列の画素６０に提供する。第二半周期Ｆ２中、ソースドライバ５４は、連続して、第二極性の信号を、偶数列の画素６０に提供する。第一半周期Ｆ１中、ソースドライバ５４の出力信号は、例えば、コモン電極Ｖcomに相対する正電圧レベルである第一極性を維持する。第二半周期Ｆ２中、ソースドライバ５４の出力信号は、例えば、コモン電極Ｖcomに相対する負電圧レベルである第二極性を維持する。
【００２１】
ドット反転にとって、第一半周期Ｆ１中、ソースドライバ５４は、連続して、第一極性の信号を、奇数行中の奇数列の画素６０に提供し、第二極性の信号を偶数行中の奇数列の画素６０に提供する。第二半周期Ｆ２中、ソースドライバ５４は、連続して、第一極性の信号を、偶数行中の偶数列の画素６０に提供し、第二極性の信号を、奇数行中の偶数列の画素６０に提供する。これにより、第一半周期Ｆ１中、ソースドライバ５４の出力信号は、極性を変化させず、第二半周期Ｆ２になる時変化し、且つ、第二半周期F２中、ソースドライバ５４の出力信号は相反する極性を維持する。
【００２２】
本発明のＬＣＤ装置駆動方法は、図３で示されるように、まず、複数行、及び、複数列で形成される複数の画素アレイ６０を提供する（工程１）。第一信号ＳＰ１を提供し、フレーム周期Ｆの第一半周期Ｆ１を駆動する（工程２）。複数の第一パルス７０、及び、第二パルス８０を提供する（工程３）。各第二パルス８０は、第一パルス７０の後に続く。第一半周期Ｆ１中、対応する第一パルス７０に従って、順に、奇数列の画素６０を起動し、且つ、対応する第二パルス８０に従って、順に、偶数列の画素６０を失効させる（工程４）。全ての奇数列の画素６０が選択された後、第二信号ＳＰ２を提供して、フレーム周期Ｆの第二半周期Ｆ２を起動する（工程５）。第二半周期Ｆ２中、対応する第一パルス７０に従って、順に、偶数列の画素６０を起動し、且つ、対応する第二パルス８０に従って、順に、奇数列の画素６０を失効させる（工程６）。
【００２３】
ライン反転を使用する本発明の実施例において、第一半周期Ｆ１中、順に、第一極性の信号を、奇数列の画素６０に提供する。第二半周期Ｆ２中、順に、第二極性の信号を、偶数列の画素６０に提供する。
【００２４】
ドット反転を使用する本発明のもう一つの実施例において、第一半周期Ｆ１中、順に、第一極性の信号を、奇数行中の奇数列の画素６０に提供し、且つ、順に、第二極性の信号を、偶数行中の奇数列の画素６０に提供する。第二半周期Ｆ２中、順に、第一極性の信号を、偶数行中の偶数列の画素６０に提供し、且つ、順に、第二局制の信号を、奇数行中の偶数列の画素６０に提供する。
【図面の簡単な説明】
【００２５】
【図１Ａ】公知のＬＣＤ装置の概略駆動回路図。
【図１Ｂ】図１Ａの駆動回路のタイミング図。
【図１Ｃ】図１Ａの駆動回路のソースドライバの出力信号図。
【図２Ａ】本実施例のＬＣＤ装置の概略駆動回路図。
【図２Ｂ】図２Ａの駆動回路のタイミング図。
【図２Ｃ】図２Ａの駆動回路のソースドライバの出力信号図。
【図３】本実施例の駆動方法のフローチャート。
【符号の説明】
【００２６】
１０、５０        駆動回路
１２−２          ゲートライン
１２、５２        ゲートドライバ
１４、５４        ソースドライバ
１４−２          ソースライン
１６、５６        コントローラー
２０              ＬＣＤ装置
２２、６０        画素アレイ
Ｇ１〜ＧＮ        ゲートライン
Ｇ１１〜１３      ゲートライン
Ｓ１〜ＳＭ          ソースライン
【図１Ａ】
2005196135.tif 000003
【図１Ｂ】
2005196135.tif 000004
【図１Ｃ】
2005196135.tif 000005
【図２Ａ】
2005196135.tif 000006
【図２Ｂ】
2005196135.tif 000007
【図２Ｃ】
2005196135.tif 000008
【図３】
2005196135.tif 000009